(57)【要約】  放射線および／または汚染物質、例えば煙、一酸化炭素等を検出するための警報器は、ハウジング（３、４）と、ハウジングを平面に取り付けるための取付プレート（２）と、ハウジングを取付プレートに固定するために係合可能な、ハウジングおよび取付プレート上の協働手段（２５、１２）と、放射線および／または汚染物質を検出するための探知器（７４）を有する警報回路（７０）とを備えている。警報器は、更に、ハウジング（３、４）の中の警報回路の中のスイッチ（１０１）と、取付プレート（２）上の磁石とを備えていて、その配置は、磁石が、ハウジングの取付プレートとの係合に応じてスイッチを作動させるようになっていて、これにより回路を作動状態にする。ハウジング（３、４）の中の電池室（１１）は、警報器用の電池を受け、停止手段（１３、１４、１９、２８）は、電池がない場合に、協働手段（２５、１２）の適切な係合を妨げる。取付プレート（２）は、固定具、例えば取付プレートを略平面に固定するネジを受けるための上面（２ａ）および貫通開口部（２０）を有する略平面である。貫通開口部は、貫通開口部を通して固定具の頭部を通過させるための拡大部（２２）と、頭部の保持のために狭くなった部分（２１）と、その間のネック部（２３）とを有して延びている。さらに、警報回路（７０）は、好ましくは、作動手段を有していて、この作動手段は、この作動手段が特定の方法で作動される時、警報器のさまざまな機能を通ってスクロールするように構成されている。
2010524112.tif 000002
【特許請求の範囲】
【請求項１】
放射線および／または汚染物質、例えば煙、一酸化炭素等を検出するための警報器において、
ハウジング（３、４）と、
前記ハウジングを平面に取り付けるための取付手段（２）と、
前記ハウジングを前記取付手段に固定するために係合可能な、前記ハウジングおよび前記取付手段上の協働手段（２５、１２）と、
前記放射線および／または汚染物質を検出するための検出手段（７４）を有する警報回路（７０）と、
前記回路（７０）の作動を制御するための制御手段（１００、１０１）とを備えていて、
前記制御手段は、前記ハウジング（３、４）内のスイッチ手段（１０１）と、前記取付手段（２）上の協働手段（１００）とを有していて、その配置は、前記協働手段が前記ハウジングの前記取付手段との係合に応じて前記スイッチ手段を作動させるようになっていて、これにより前記回路を作動状態にする
ことを特徴とする警報器。
【請求項２】
前記スイッチ手段は、磁気的に操作されるスイッチ（１０１）であり、前記協働手段は、磁石手段（１００）であることを特徴とする請求項１に記載の警報器。
【請求項３】
前記磁石手段は、永久磁石（１００）であることを特徴とする請求項２に記載の警報器。
【請求項４】
前記スイッチ手段（１０１）は、前記回路（７０）に対する電力の供給を制御することを特徴とする請求項１、２または３に記載の警報器。
【請求項５】
前記スイッチ手段（１０１）は、前記回路（７０）に対する電力供給ラインの中の常時開スイッチであることを特徴とする請求項１から５のうちのいずれか一項に記載の警報器。
【請求項６】
放射線および／または汚染物質、例えば煙、一酸化炭素等を検出するための警報器において、
ハウジング（３、４）と、
前記ハウジングを平面に取り付けるための取付手段（２）と、
前記ハウジングを前記取付手段に固定するために係合可能な、前記ハウジングおよび前記取付手段上の協働手段（２５、１２）と、
前記警報器用の電池を受けるための前記ハウジング（３、４）内の配置手段（１１）と、
電池がない場合に前記協働手段（２５、１２）の適切な係合を妨げる停止手段（１３、１４、１９、２８）とを備えている
ことを特徴とする警報器。
【請求項７】
前記停止手段（２８）は、電池がない場合に前記協働手段（２５、１２）の適切な係合を妨げる、第１の、停止位置の方へ付勢され、前記電池の正しい挿入によって第２の、解放位置に移動され、これにより前記協働手段の係合が前記ハウジングを前記取付手段に固定することを可能にすることを特徴とする請求項６に記載の警報器。
【請求項８】
前記協働手段（２５、１２）は、前記ハウジングを前記取付手段に固定するために、前記取付手段に対する前記ハウジングの回転によって係合可能であることを特徴とする請求項７に記載の警報器。
【請求項９】
前記協働手段（２５、１２）は、前記ハウジング手段（３、４）および前記取付手段(２)のうちの一方の上の保持手段（１２）と、前記ハウジング手段（３、４）および前記取付手段(２)のうちの他方の上の係合手段（２７、２７ａ）とを有していることを特徴とする請求項８に記載の警報器。
【請求項１０】
前記保持手段（１２）は、少なくとも１つのフック状部材であり、前記係合手段（２７、２７ａ）は、前記取付手段に対する前記ハウジングの回転によって、前記フック状部材の下で係合可能な、それぞれのフランジであることを特徴とする請求項９に記載の警報器。
【請求項１１】
前記ハウジング手段（３、４）および前記取付手段（２）の回転軸のまわりに角度を付けて間隔を置かれた複数の前記協働手段（２５、１２）を備えていることを特徴とする請求項９または１０に記載の警報器。
【請求項１２】
前記保持手段（１２）は、前記ハウジング手段（３、４）上に設けられていて、前記係合手段（２７、２７ａ）は、前記取付手段（２）上に設けられていることを特徴とする請求項９、１０または１１に記載の警報器。
【請求項１３】
前記配置手段（１１）は電池室であり、
前記停止手段（１３、１４、１９、２８）は、
前記電池室上に、かつ前記ハウジング（３、４）の方へ下方に伸びている前記取付手段（２）上の電池検出部材（２８）と、
前記ハウジング（３、４）上の当接部（１９）とを有していて、
その配置は、
電池がない場合には、前記電池検出部材（２８）が、前記協働手段の適切な係合を妨げるために、前記取付手段に対する前記ハウジングの相対的な回転上で前記停止手段に当接するようになっていて、
正しく挿入された電池がある場合には、前記電池検出部材は、前記取付手段に対する前記ハウジングの相対的な回転上で前記停止手段をクリアするために、前記ハウジング（３、４）から離れる方へ付勢され、前記協働手段の適切な係合を可能にする
ことを特徴とする請求項８から１２のうちのいずれか一項に記載の警報器。
【請求項１４】
前記電池検出部材（２８）は、舌状部材であることを特徴とする請求項１３に記載の警報器。
【請求項１５】
前記取付手段（２）および前記ハウジング（３、４）が間違って位置合わせされている時に、前記協働手段の適切な係合を妨げるために、前記ハウジングおよび前記取付手段の相対的な回転上で前記電池検出部材と係合可能な追加当接手段（１３、１４）を備えていることを特徴とする請求項１３または１４に記載の警報器。
【請求項１６】
各前記当接手段は、前記ハウジング（３、４）の表面に凹部の端壁を有していることを特徴とする請求項１３から１５のうちのいずれか一項に記載の警報器。
【請求項１７】
前記凹部は、ランプ状の底面を有していることを特徴とする請求項１４に記載の警報器。
【請求項１８】
前記配置手段（１１）は、電池室であり、この電池室は、電池室への電池の間違った挿入を妨げるための手段（１６、１７）を有していることを特徴とする請求項６から１７のうちのいずれか一項に記載の警報器。
【請求項１９】
前記電池は、一端に異なるサイズの正および負の端子を有するタイプであり、
前記電池室は、前記電池端子への接続のために、その一端に電気接触手段を有していて、
電池室への電池の間違った挿入を妨げるための前記手段（１６、１７）は、入れ換えられた前記端子を有する前記電池の挿入を妨げるための電池室の前記端壁上の手段である
ことを特徴とする請求項１８に記載の警報器。
【請求項２０】
電池室への電池の間違った挿入を妨げるための前記手段（１６、１７）は、２つの電池端子のうちより小さいものを受けるための前記端壁の凹部を有していて、前記凹部は、２つの電池端子のうちより大きいものを受けるためには小さすぎることを特徴とする請求項１９に記載の警報器。
【請求項２１】
放射線および／または汚染物質、例えば煙、一酸化炭素等を検出するための警報器において、
ハウジング（３、４）と、
前記ハウジングを平面に取り付けるための取付手段（２）と、
前記ハウジングを前記取付手段に固定するために係合可能な、前記ハウジングおよび前記取付手段上の協働手段（２５、１２）と、
前記放射線および／または汚染物質を検出するための検出手段（７４）を有する警報回路（７０）とを備えていて、
前記取付手段（２）は、前記取付手段を略平面に取り付けるための固定具、例えばネジを受けるための上面（２ａ）および貫通開口部（２０）を有する略平面の取付プレートであって、
前記貫通開口部は、貫通開口部を通して固定具の頭部を通過させるための拡大部（２２）と、前記頭部の保持のために狭くなった部分（２１）と、その間のネック部（２３）とを有して延びている
ことを特徴とする警報器。
【請求項２２】
前記ネック部の壁部分は、舌部（２４）によって形成されていて、その配置は、前記舌部が、ネック部の対向する壁から離れる方へはね返るように適合されていて、これにより前記固定具が前記拡大部（２２）から前記狭くなった部分（２１）へ通過することを可能にし、かつ前記固定具が前記狭くなった部分（２１）から前記拡大部（２２）へ通過することを妨げることを特徴とする請求項２１に記載の警報器。
【請求項２３】
放射線および／または汚染物質、例えば煙、一酸化炭素等を検出するための警報器において、
ハウジング（３、４）と、
前記ハウジングを平面に取り付けるための取付手段（２）と、
前記ハウジングを前記取付手段に固定するために係合可能な、前記ハウジングおよび前記取付手段上の協働手段（２５、１２）と、
前記放射線および／または汚染物質を検出するための検出手段（７４）を有する警報回路（７０）とを備えていて、
前記警報回路（７０）は、作動手段を有していて、この作動手段は、この作動手段が特定の方法で作動される時、警報器のさまざまな機能を通ってスクロールするように構成されている
ことを特徴とする警報器。
【請求項２４】
前記回路（７０）は、前記警報器の動作を制御するためのマイクロプロセッサを有していて、
前記作動手段は、前記回路内のスイッチであり、
その機能は、前記警報器が作動している時には、前記スイッチの作動は警報を静まらせ、前記警報器が無音の時には、前記スイッチの作動は警報器をテストするようになっている
ことを特徴とする請求項２３に記載の警報器。
【発明の詳細な説明】
【技術分野】
【０００１】
本発明は、特に家庭環境の中で用いるための、放射線、一酸化炭素、煙および／または他の空気汚染物質を検出するための警報器に関する。
【背景技術】
【０００２】
典型的な従来の警報器は、電池式であり、警報器のハウジングを貫通するネジ等によって、平面、例えば天井に直接取り付けることを意図されている。警報器には、通常、着脱可能なカバー、または側面に旋回するカバーが設けられているので、電池を替えるためのハウジング内部へのアクセスを得ることができる。電池は、一般に、単に端子パッド上にクリップで留めることによって載置される。
【０００３】
従って、ユーザは、定位置に電池がない状態でカバーを閉じることができる。加えて、電池は、通常、端子ホルダにクリップで留められるので、それは、容易に間違った方向に載置され得る。これらの状況の両方が、警報器を見て、実際それがそうでない時に、それが動作中であると信じている人々に、誤った安心感を与える。
【０００４】
加えて、警報器は複数の機能を有する装置であるところ、通常、警報器の様々な機能および操作のための１つまたは多くのボタンがあり、ユーザが警報器を操作することが困難になり得る。ほとんどの人は取扱説明書を読まない傾向があるので、警報器が新しい時に、この問題は存在する。警報器のセカンドユーザを扱う時に、問題は悪化する。そこでは、マニュアルは、なくされたか、捨てられたかしそうである。従って、警報音および急動が要求された場合に、例えば警報を静まらせるために、例えば電池を取り外すことによって、ユーザが警報を解除または使用不能にする可能性が増加する。
【発明の概要】
【発明が解決しようとする課題】
【０００５】
上記は、この種の警報器と遭遇する可能性があり、かつ警報器の有用性に影響を及ぼすという、いくつかの問題である。これらの全ては、ユーザが、あてにならなくて潜在的に危険な方法で装置の動作を迂回する動作または能力に関係する。
【０００６】
本発明は、改良型の警報器を提供しようとする。
【課題を解決するための手段】
【０００７】
放射線および／または汚染物質、例えば煙、一酸化炭素等を検出するための警報器において、ハウジングと、前記ハウジングを平面に取り付けるための取付手段と、前記ハウジングを前記取付手段に固定するために係合可能な、前記ハウジングおよび前記取付手段上の協働（cooperating）手段と、前記放射線および／または汚染物質を検出するための検出手段を有する警報回路と、前記回路の作動を制御するための制御手段とを備えていて、前記制御手段は、前記ハウジング内のスイッチ手段および前記取付手段上の協働手段を有していて、その配置は、前記協働手段が、前記ハウジングの前記取付手段との係合に応じて、前記スイッチ手段を作動させ、これにより前記回路を作動状態にするようになっている。
【０００８】
好ましくは、前記スイッチ手段は、磁気的に操作されるスイッチであり、前記協働手段は、永久磁石である。
【０００９】
好ましくは、前記スイッチ手段は、前記回路への電力の供給を制御する。
【００１０】
好ましくは、前記スイッチ手段は、前記回路のための電力供給ラインの中の常時開スイッチである。
【００１１】
本発明の第２の態様によれば、以下のものが提供される。放射線および／または汚染物質、例えば煙、一酸化炭素等を検出するための警報器において、ハウジングと、前記ハウジングを平面に取り付けるための取付手段と、前記ハウジングを前記取付手段に固定するために係合可能な、前記ハウジングおよび前記取付手段上の協働手段と、前記警報器用の電池を受けるための前記ハウジング内の配置手段と、電池がない場合に、前記協働手段の適切な係合を妨げる停止手段とを備えている。
【００１２】
好ましくは、前記停止手段は、電池がない場合に、前記協働手段の適切な係合を妨げる、第１の、停止位置の方へ付勢され、かつ、前記電池の正しい挿入によって、第２の、解放位置にずらされ、これにより前記ハウジングを前記取付手段に固定するための前記協働手段の係合を可能にする。
【００１３】
好ましくは、前記協働手段は、前記ハウジングを前記取付手段に固定するための、前記取付手段に対する前記ハウジングの回転によって係合可能である。
【００１４】
好ましくは、前記協働手段は、前記ハウジング手段および前記取付手段のうちの一方の上の保持手段と、前記ハウジング手段および前記取付手段のうちの他方の上の係合手段とを有している。
【００１５】
好ましくは、前記保持手段は、少なくとも１つのフック状部材を有していて、前記係合手段は、前記取付手段に対する前記ハウジングの回転によって、前記フック状部材の下で係合可能な、それぞれのフランジを有している。
【００１６】
好都合にも、警報器は、複数の前記協働手段を有していて、これは、前記ハウジング手段および前記取付手段の回転軸について角度を付けて間隔を置かれている。
【００１７】
好ましくは、前記保持手段は、前記ハウジング手段上に設けられ、かつ前記係合手段は、前記取付手段上に設けられている。
【００１８】
好ましくは、前記配置手段は電池室であり、前記停止手段は、前記電池室上に伸びていて、かつ前記ハウジングに向かって下方へ伸びている前記取付手段上の電池検出部材と、前記ハウジング上の当接部（abutment）とを有していて、その配置は、以下のようになっている。すなわち、電池がない場合には、前記電池検出部材が、前記協働手段の適切な係合を妨げるために、前記取付手段に対する前記ハウジングの相対的な回転上で前記停止手段に当接し、正しく挿入された電池がある場合には、前記電池検出部材が、前記取付手段に対する前記ハウジングの相対的な回転上で前記停止手段をクリアして、前記協働手段の適切な係合を可能にするように、前記ハウジングから離れる方向に付勢される。
【００１９】
好ましくは、前記電池検出部材は、舌状部材である。
【００２０】
好都合にも、警報器は、更に、前記取付手段および前記ハウジングが不適切に位置合わせされた時に、前記協働手段の適切な係合を妨げるために、前記ハウジングおよび前記取付手段の相対的な回転上で前記電池検出部材と係合可能な追加当接手段を備えている。
【００２１】
好ましくは、各前記当接手段は、前記ハウジングの表面に凹部の端壁を有している。
【００２２】
好ましくは、前記凹部は、ランプ状の底面を有している。
【００２３】
好ましくは、前記配置手段は、電池室内への電池の間違った挿入を妨げるための手段を有する電池室である。
【００２４】
好ましくは、前記電池は、一端に異なるサイズの正および負の端子を有するタイプであり、前記電池室は、前記電池端子への接続のために、その一端に、電気接触手段を有していて、電池室への電池の間違った挿入を妨げるための前記手段は、入れ換えられた前記端子を有する前記電池の挿入を妨げるための電池室の前記端壁上の手段を有している。
【００２５】
好ましくは、電池室への電池の不適切な挿入を妨げるための前記手段は、２つの電池端子のうちより小さいものを受けるために、前記端壁の中に凹部を有していて、前記凹部は、２つの電池端子のうちより大きいものを受けるには小さすぎる。
【００２６】
この配置の利点は、ハウジングが、電池を替えるために取付手段から取り外されなければならなくて、かつ電池が適切な位置にない状態で再び取り付けることはできないという事実に関する。これは、電池なしで装置を取り付けることを防止する。更に、この配置によって、電池は、それが正しい電池であり、かつ正しい方向である時のみ、はめ込むことができるので、装置の故障または損傷に至る可能性がある装置内への電池の誤った装填を防止する。
【００２７】
本発明の第３の態様によれば、以下のものが提供される。すなわち、放射線および／または汚染物質、例えば煙、一酸化炭素等を検出するための警報器において、ハウジングと、前記ハウジングを平面に取り付けるための取付手段と、前記ハウジングを前記取付手段に固定するために係合可能な、前記ハウジングおよび前記取付手段上の協働手段と、前記放射線および／または汚染物質を検出するための検出手段を有する警報回路とを備えていて、前記取付手段は、前記取付手段を略平面に取り付けるための固定具、例えばネジを受けるための上面および貫通開口部を持つ略平面の取付プレートであり、前記貫通開口部は、貫通開口部を通して固定具の頭部を通過させるための拡大部、前記頭部の保持のための狭くなった部分、およびその間のネック部分を有して延びている。
【００２８】
好ましくは、前記ネック部分の壁部分は、舌部によって形成されていて、その配置は、以下のようになっている。すなわち、前記舌部が、ネックの対向する壁から離れてはね返り、これにより前記拡大部から前記狭くなった部分への前記固定具の通過を可能にし、かつ前記狭くなった部分から前記拡大部への前記固定具の通過を防止する。
【００２９】
本発明の第４の態様によれば、以下のものが提供される。放射線および／または汚染物質、例えば煙、一酸化炭素等を検出するための警報器において、ハウジングと、前記ハウジングを平面に取り付けるための取付手段と、前記ハウジングを前記取付手段に固定するために係合可能な、前記ハウジングおよび前記取付手段上の協働手段と、前記放射線および／または汚染物質を検出するための検出手段を有する警報回路とを備えていて、前記警報回路は、作動手段を有していて、この作動は、この手段作動手段が特定の方法で作動される時、警報器のさまざまな機能を通ってスクロールするように構成されている。
【００３０】
好ましくは、前記回路は、前記警報器の動作を制御するためのマイクロプロセッサを有していて、前記作動手段は、前記回路の中のスイッチであり、その機能は、以下のようになっている。すなわち、前記警報器が作動している時は、前記スイッチの作動は警報器を静まらせ、前記警報器が無音の時は、前記スイッチの作動は警報器をテストする。
【００３１】
以下、本発明が、添付の図面を参照する、本発明の一例の説明として示される。
【図面の簡単な説明】
【００３２】
【図１】本発明による警報器の側面図である。
【図２】図１に示した警報器の電池を除いた上部ハウジング部材の平面図である。
【図２ａ】上からの上部ハウジング部材の斜視図である。
【図３】図１の警報器の取付プレートの平面図である。
【図４】図１の警報器の取付プレートの逆の平面図である。
【図５】図１の警報器の回路の一部の回路図である。
【図６】取り付けられる構成部品を有する上部ハウジング部材の逆の平面図である。
【図７】警報器の下部ハウジング部材の下からの眺めである。
【発明を実施するための形態】
【００３３】
以下の実施形態において、本発明は、煙警報器に関して記載されている。しかし、本発明が、他の空気汚染物質および有害で中毒性のガス、例えば一酸化炭素、ラドン等、または任意の形の放射線を検出するための警報器に等しく適用可能であることは認められるであろう。
【００３４】
図面を参照すると、図１は、本発明による警報器１の好ましい形態の側面図である。警報器は、平面、例えば壁または天井に取り付けるのに適しているが、ここでは天井に取り付けることに関して記載されている。本発明の例示されている特定の態様は、警報器の設計詳細を含んでいて、これは以下で詳述される。
【００３５】
警報器１は、ハウジングと、ハウジングを天井に取り付けるための取付手段とを備えている。取付手段は、略円形かつ平らな取付プレート２の形をしている。ハウジングは、上部ハウジング部または部材３と、下部ハウジング部または部材４とを備えている。上部および下部という用語は相対的なものであり、警報器の向きによるが、ここでは図１に示すように警報器が天井に取り付けられる場合の感覚で用いられている。
【００３６】
図示した警報器は、美学的に気持ちの良い外観を与えるために、ドーム形の構造を有する円形である。
【００３７】
下部ハウジング部材４は、略円形で、実質的になめらかな外面９０およびリム９２を有するドーム形の構造を有している。警報器が平面に取り付けられるとき、このハウジング部材４は平面から最も遠い。例えば、天井に取り付ける場合、ハウジング部材４は床に面する。部材４は、「テスト機能」および「無音」ボタン５（警報器のこの設計に設けられている唯一のボタン）を有していて、これはドームの頂点またはその近くに位置している。ハウジング部材４は、さらに、ボタン５のちょうど下のドームの表面に、一群の孔６（通常は５個）を有している。スピーカが、警報器のハウジングの中の孔６に隣接した位置に取り付けられている。
【００３８】
図２は、上部ハウジング部材３の平面図（すなわち上から）である。上部ハウジング部材３は、略円形であり、全周辺に延びている外側かつ下方へ角度を付けられた側壁５０を有する底面またはベースプレート７の形で略平面の底面を有している。側壁５０は、ベースプレート７の円周のまわりで間隔を置かれた多数の開口部８を有している。これらは、好ましくは側壁５０に沿って等しい角度で間隔を置かれているが、任意の適切な間隔が用いられ得る。デテントまたはスロット８ａの形の位置合わせ手段が、側壁５０の中に設けられていて、その目的は以下で説明される。開口部８は、動作している回路のために換気を提供し、更に、それが鳴っている時に、よりよく警報が聞こえることを可能にする。
【００３９】
下部ハウジング部材４と上部ハウジング部材３は、好ましくは、好ましくは協働している突起およびレセプタアセンブリ９の形でのキャッチ手段によって互いにスナップ嵌合される。この例では、３つのアセンブリ９がある。好ましくは、突起は下部ハウジング部材４の上に形成され、レセプタは上部ハウジング部材３の上に形成されるが、これらを逆にすることができることは言うまでもない。３つより多い又は少ないアセンブリを用いることができ、かつ、これらは、好ましくは、ハウジングのまわりで等しい角度で間隔を置かれることも言うまでもない。
【００４０】
本発明のこの例の中では、ハウジング部材３および４のそれぞれの表面について、特定の向きに離れて間隔を置かれた３つの突起およびレセプタアセンブリ９があり、これらの配置の間隔は、２つのハウジング部材が、１つの特定の位置合わせの中で、互いにはめるだけとなるようになっている。各突起（図面の中には示していない）は、下部ハウジング部材４の内面上に直立していて、フック状の終端が形成されている。これは、対応するレセプタ上に形成された肩の上でスナップ嵌合方法で係合する。レセプタは、上部ハウジング部材３の内面（下面）に直立している。
【００４１】
ハウジング部材３と４が互いにはめられるときに、空間がその間に定められるが、この中に警報器の回路、スピーカおよび他の作動部品が収納され得る。適切な取付手段が、これらを上部ハウジング部材３または下部ハウジング部材４に取り付けるために設けられている。
【００４２】
上部ハウジング部材３は、さらに、以下のものを有している。
ベースプレート７の外縁またはこれに隣接する円周方向溝１０。これは、図２ａの中で見られるように、ベースプレート７の上面８０に形成されている。
電池室１１の形での電池配置手段。これは、ベースプレート７の上面のくぼみ又は凹部として形成され、上部ハウジング部材３の内部に延びている。
上部と下部のハウジング部材を互いに固定するための協働手段の一部を形成している保持手段１２。ここで、保持手段１２は、好ましい形態では、ベースプレート７のまわりに等間隔で配置された３つのフック状部材１２である。３つの部材１２が示されているが、任意の適した数が用いられ得ることは言うまでもない。
プレート７の外面に隣接するロック手段１５。
【００４３】
図２および２ａに示した特定の例において、電池室は、サイズを設定されて、位置および一端に異なる大きさの正および負の端子を有するタイプの電池、例えば９Ｖ ＰＰ３電池のハウジングに合わせられる。電池室は、従って、２つの端壁５４、２つの側壁５８および底面６０を持つ略矩形のくぼみ６２を有している。電池室１１の中の電池を警報器の回路に接続する端子の配置のための手段（図示していない）が、一端に設けられている。
【００４４】
警報回路の電池接続端子は、図２に示したくぼみの右端壁５４上に設けられた、指定された端子固定位置６３、６５にある。固定位置は、くぼみの端のうちの１つの隣接する各端に配置された垂直側部支柱１６と中心支柱１７によって、くぼみのそれぞれの端の中心からずれた位置に定められる。支柱１６及び１７は、端壁５４の凹部を定めるために、くぼみの全深さの下まで伸びていて、かつ、くぼみの中に外側に突き出ている。端子は、凹部の支柱間に位置しているので、端子は、くぼみ６２の横のアクセスから遮蔽される。これは、端子が、正しい電池が正しく挿入された時にのみ接触することを意味する。電池は、上部ハウジング部材３の外側から、すなわち図２に示した上から電池室の中にはめ込まれる。横の支柱１６のうちの１つと、中間の支柱１７との間隔は、２つの電池端子のうちの小さい方に対しては十分に広いが、大きい電池端子よりは小さい。これは、電池を電池室１１内で間違って接続することができないことを保証する。
【００４５】
図２および２ａの中で見られるように、くぼみ６２の底面６０は、舌部１８を有していて、これは底面６０から切り離されていて、くぼみ６２の幅の中心を横切って伸びている。舌部１８は、底面６０の平面から下部ハウジング部材４の方へ伸びるように、わずかに飛び出していて、略Ｌ字状であり、上方へ伸びるアーム９６を有している。舌部１８はボタン５の上に位置しているので、ボタン５が押し下げられると、アームは警報回路７０のスイッチＳＷ１を作動させる。舌部１８は、単なる当接部であってもよいが、好ましくは、ボタン５に機械的に連結されている。
【００４６】
警報器は、上部ハウジング部材３および取付プレート２上に協働している停止手段を備えていて、これは、ベースプレート７の中に３つの円弧状のくぼみ（indent）又は凹部１３、１４、１９を有している。円弧状のくぼみ１９は、ベースプレート７の中のプレート７の端に近いくぼみ（well）６２の一側壁５８に隣接して設けられている。第１および第２のくぼみ１３および１４、およびくぼみ１９は、上部ハウジング部材３のベースプレート７の外面領域のまわりに等角度で間隔を置かれている。くぼみ１３、１４は、また、止めまたは壁９９で終わるランプ状の底面９８を有している。
【００４７】
取付プレート２上の協働している停止手段は、切り抜かれた舌状部材２８の好ましい形態における電池検出部材であり、それは、プレート２の表面から上部ハウジング部材３の方へ飛び出している。舌部２８の内側（下側）に、ドーム形または高くなった部分２９がある。その通常の位置において、舌部２８は、取付プレート２の内面から電池室１１の中に、下方へ突出する方向に向けられている。
【００４８】
図３および４は、警報器を平面に取り付けるために適している取付プレート２の２つの面を示している。図３は、取付プレートの外側の、上面２ａを示していて、これは警報器が取り付けられる面と接触する。図４は、内側の、下面２ｂを示していて、これは上部ハウジング部材３に面している。取付プレート２は、ハウジングのベースプレート７の直径と同程度の直径の実質的に平らな円板形の部材を有している。
【００４９】
上面２ａには、３つの平滑面取付突起または瘤６４が設けられていて、それは、天井と噛み合い、取付プレートの表面の大部分を天井面から離れた状態に保つ。
【００５０】
取付プレート２は、中央に位置する固定貫通開口部または穴２０を有していて、これは、取付プレート２が、例えば、ドライウォール固定（dry wall fixing）によって、天井に固定されることを可能にする。これは、１つの動作で、穴をあけることなしで固定することを可能にする。これは、存在する所でのアスベストからの危険が、減少するかまたは除かれることも意味する。固定穴２０は、中心の、略円形または狭くなった部分２１と、球根状の拡張部または拡大部２２とを有していて、球根状の拡張部２２が中心部２１と接する所にネック部２３を形成する鍵穴形である。切抜き飛出アームまたは舌部２４が、球根状の部分２２の一側壁に形成されている。舌部２４は、位置決め部を形成していて、それは、固定手段が球根状の区画にあり、部分２１の中に摺動する時、固定手段から離れる方向にはね返る。一旦固定手段が中心部２１に入ると、舌部２４は、その最初の位置の方へ戻るようにはね返り、中心部２１内の定位置にしっかりと固定手段を固定する。
【００５１】
取付プレート２は、さらに、３つの係合手段２５を有している。これらは、保持手段１２と係合し、従って、取付プレート２を上部ハウジング部材３に固定するための上述した協働手段の一部を形成している。係合手段２５は、取付プレート２の円周のまわりに等間隔に設置されている。各係合手段２５は、取付プレート２の中で弧状形状の開口部２６を有していて、これは、取付プレート２の下面２ａ上に形成されたフランジ２７を有している。フランジ２７は、その一端から幅の一部にわたって開口部の長さの一部にわたって伸びている。フランジ２７は、その自由端に面取りされた端部区間２７ａを有していて、その他端に厚さが減少した部分を有している。
【００５２】
取付プレート２の中に、さらに、プレートの端に隣接して、標識３１が設けられている。この標識は、都合の良いことに、プレート２の下側から見える切抜き部分である。都合の良いことにプレート２の周辺に沿って伸びている隆起リップまたは尾根３２が、取付プレート２の端またはこれに隣接した下面２ｂ上に、さらに設けられている。
【００５３】
使用に際して、まず、取付プレート２が、例えばドライウォール固定によって、天井に取り付けられる。次に、火災警報器の上部ハウジング部材３が、取付プレート２に取り付けられる。これを達成するために、プレート２上の標識３１が、上部ハウジング部材３の側壁５０におけるデテント８ａと位置合わせされるが、僅かにオフセットされた角度で（反時計回り）である。これは、上部ハウジング部材３が、正しく取付プレートに対してはめ込まれ、取付プレート２上の隆起リップ３２が、上部ハウジング部材の溝１０の中へ差し入れられることを保証する。この位置では、各フランジ２７の面取りされた端部区間２７ａは、それぞれのフック状部材１２の一側に位置合わせされる。電池が電池室１１内にある場合に、上部ハウジング部材３が、取付プレート２に対して適切に位置合わせされて与えられるとき、舌部２８は、取付プレート７の内面から電池室１１の中へ下方へ突出する方向に向けられる。舌部２８の部分２９は、従って電池の表面と係合し、舌部２８は、上部ハウジング部材３の表面の上に、上方へ移動される。
【００５４】
取付プレート２に対してハウジングを位置決めするために、火災警報器の上部ハウジング部材を時計回り方向に回転させると、それぞれのフランジ２７の各々は、摺動動作の中で、それぞれのフック状部材１２の下で係合し、後述する特定の他の要因を満たすと仮定すると、火災警報器は、標識３１がデテント８ａと位置合わせされるまで回転させることができ、火災警報器は、正しく取り付けられる。
【００５５】
もし電池が電池室１１内になければ、火災警報器のハウジングが取付プレート２に与えられても、舌部２８は上方へ移動されない。舌部２８は、従って、電池室のくぼみ６２の中に伸びている。ハウジングが回されると、舌部２８は、くぼみ１９の端壁にひっかかり、取付プレート２に対するハウジングの更なる回転を妨げるので、警報器のハウジングが取付プレート２に固定されるのを妨げ、従って天井に固定されるのを妨げる。
【００５６】
さらにまた、図面に示した警報器のハウジングの特定の設計は、取付プレート２に取り付けるために、３つだけ可能な位置を有している。正しい位置は、上述したように、デテント８ａに関して標識３１が整列された位置であり、舌部２８は電池に係合し、火災警報器を取付プレート２に、従って天井に固定することを可能にする。（この例においては２つの）他の可能な位置のどちらかに、装置を取付プレート２に取り付けるための試みがなされた場合には、舌部２８は、第１または第２のくぼみ１３、１４の中に位置する。従って、（電池がはめ込まれているか否かに関わらず）警報器のハウジングが回される時、舌部２８は、それぞれのくぼみ１３、１４の端壁にひっかかり、ここでも、警報器のハウジングが取付プレートに、従って平面に固定されるのを妨げる。
【００５７】
もし電池室１１内に不適切に電池をはめ込む試みがなされると、電池は十分に電池室内に座らないで、盛り上がり、従って上部ハウジング部材が取付プレート２に固定されるのを妨げる。
【００５８】
上記は、警報器が、正しい電池が正しくはめ込まれた時にのみ、組み立てられ得ることを保証し、更に電池が正しく接続されることを保証し、従って、警報器が取り付けられた時に、（電池が電荷を持っていると仮定して）警報器が使用可能であることを保証するための安全機能を有する警報器の例を記載している。
【００５９】
以下は、本発明による警報器の更なる好ましい実施形態を述べている。この実施形態においては、磁石１００が、取付プレート２の下面２ｂに設けられたくぼみの中にはめ込まれている。示された例において、これは、標識３１の近くに位置する。
【００６０】
加えて、フック手段を、下部ハウジング部材３上に設けることができるので、磁石がない場合であっても、フックが、取付プレートに設けられたくぼみの中に位置し、ハウジングが取付プレート２上で回転するのを妨げ、従って警報器のハウジングを取付プレート２に組み付けるのを妨げる。リードスイッチ１０１は、インデント８ａの近くの下部ハウジング部材３上だが、内面（下面）上の、ハウジングの中に位置している。
【００６１】
リードスイッチの通常の状態は開であり、警報器へのエネルギー供給を遮断している。警報器のハウジングが取付プレート２に適切に取り付けられる時、リードスイッチ１０１は、磁石の近くに位置する。磁石の磁場が、リードスイッチを閉位置に動かして、電池によって警報回路に電力が供給されることを可能にする。
【００６２】
これは、回路が、取付プレートに取り付けられた時にのみ、作動状態になることを意味する。従って、もし取付プレート自体が平面に取り付けられるのであれば、これは、警報器が元の位置でのみ作動することを意味する。
【００６３】
この配置を有する利点は、スイッチユニットが密封されたユニットであり、取り付けおよび取り外しと共に自動でオン／オフするスイッチがあるという事実から生じる。この本発明の第２の態様は、別途用いられてもよいし、本発明の第１および第２の態様の一方または両方と共に用いられてもよい。
【００６４】
ここで図５の回路に転じて、様々なタイプの警報器が、それらの動作原理の役立つ知識のない人によって、しばしば用いられる。従って、彼らは、正しく、または最も良い方法で警報器を用いることができないかもしれない。警報器が、１以上のユーザ操作による制御手段によって開始され得る複数の機能を有する場合、これは特に正しい。複数の機能の操作は、しばしば、ユーザーマニュアルの中の指示を読んでいるユーザに依存する。そして、実際には、これが、必ずしも起こるというわけではない。マニュアルが完全に読まれたときでも、ユーザは、必要なときに、操作の順序を覚えていないかもしれない。警報器の性質は、通常、速い動作を必要とするので、マニュアルを再読する充分な時間はなく、（例えば、警報器を静まらせるために）速い操作が要求される。一般に、ユーザが警報器から必要な反応を起こせないことは、それが取り外される、および／または欠陥があるものとして報告される、または何らかの方法で（例えば、電池を取り外すことによって）警報器が使用不能にされるという結果になり得る。すると、警報器によって提供される保護は解除される。
【００６５】
この問題に対する提案された解決策は、ユーザ操作による制御手段の数を最小にすることであり、かつそれらの操作を直観的にすることである。ほとんどのユーザは、通常、それらの警報器から、限られた数の反応を望み、かつ期待するだけである。ユーザに利用可能なオプションを最小にして、かつ警報器を単純な操作に反応させることによって、文書での指示を学ぶことへの依存が大いに減少する。従って、警報器が使用不能にされたり、存在しない欠陥が報告されたりする可能性は非常に低くなる。
【００６６】
この原理は、警報器のいかなる数の機能にも適用され得る。しかし、特に、多くの警報器は、ユーザがアクセスしたい２つの主な機能のみを有している。すなわち、警報器をテストすることと、警報器を静まらせることである。これは、一般に、全ての警報器のタイプに当てはまる。
【００６７】
いかなる特定の時間においても、警報器の動作状態によって、上記の２つの機能のうち、１つの機能のみが必要であろう。警報器が無音である時、必要な唯一の機能は「テスト」である。警報が発せられている時、必要な唯一の機能は「静まらせること」である。従って、スイッチの機能は警報器の動作状態によって決定され得るので、複数の外部制御手段を有する必要はない。
【００６８】
この単一の制御手段は、多くの異なる形、例えばスイッチ、外部光源（例えばトーチ）、またはユーザが起動し得る任意の他の方法をとることができる。
【００６９】
上述した実施形態において、特定の解決策は、警報器上の押しボタンスイッチを用いることである。いくつかの既存の警報器は、２つの機能を制御するために、単一の押しボタンスイッチを用いるが、これらは、機能に特有の期間保たれるスイッチによって、両方の機能を順番に操作することができ、スイッチが一定回数操作されることを必要とするか、または、いくつかの他の方法で、ユーザに直観的でない動作を要求する。
【００７０】
提案される解決策は、スイッチの操作にどのように反応するかを決定するために、警報器の状態を用いる。スイッチが操作される時、現行の動作状態に必要な唯一の反応がある。従って、スイッチのタイミングのいかなる複雑な分析も必要ない。それは、押されたか、または、そうではないかである。回路は、エレクトロニクスまたはソフトウェアを用いて、スイッチが、最小限の時間（通常は１秒未満）の間、操作される時はいつでも単純に応答するように設計され得る。
【００７１】
ユーザの観点から、警報器が無音の時、彼はそれをテストすることを望み得る。１つの制御手段（押しボタンスイッチ）だけが見えるので、彼はこれを押す。警報器は「テスト」に入る。ユーザの反応は、通常は、即座に（警報器が「テスト」に入る前に）又はそれが「テスト」に入るのを聞いた後に、押しボタンを放すことである。「テスト」サイクルは、いずれにせよユーザに聞き取れることを確実にするように十分長く続く。
【００７２】
警報器が「全警報」モードである場合、ユーザは、それを静まらせたくなり得る。再び、１つの制御手段だけが見えるので、彼はこれを押す。警報器は「無音」モードになる。
【００７３】
警報器は、単一のボタンを有していて、このボタンは、このボタンが特定の方法で作動される時、警報器のさまざまな機能を通ってスクロールするように構成されている。
【００７４】
この構成によって、ボタンが作動される時、現行の状態に対する反応があり、いかなる詳細な分析も必要ない。更に、警報器が非反応モードで、従って無音の場合、ボタンを押すと、警報器/探知器のテスト回路が作動する。
【００７５】
この解決策は、単一の制御ボタンに加えて他の手段による複数の機能の開始を妨げない。例えば、電気照明回路に接続された警報器は、照明のスイッチが短い時間内にオンオフされる回数を数えることによって制御され得る。
【００７６】
図５は、上述した単一スイッチの機能を提供する警報器の好ましい実施形態のための回路図７０である。回路は、煙/汚染物質探知器７４から検出された入力による警報器の動作を制御するマイクロプロセッサ７２を備えている。スイッチＳＷ１は、２つの直列接続されたトランジスタＱ１ｂ，Ｑ１ａのコレクタ−エミッタ接合と、マイクロプロセッサの端子との間の線に接続されていて、警報器のハウジング上のボタン５を押すことによって動作される。スイッチＳＷ１が押され（閉じられ）、かつ警報器がオフである時、Ｑ１ｂのエミッタは接地され、トランジスタＱ１ｂはスイッチオンされ、同様にＱ２もオンされ、探知器７４はロー（low）に引き下げられ、警報状態に入る。
【００７７】
警報器がオンで、かつＳＷ１が押されると、Ｑ１ａがスイッチオンされ、これがマイクロプロセッサ７２のピン１上の無音機能を起動させる。
【符号の説明】
【００７８】
１  警報器
２  取付プレート
３  上部ハウジング部材
４  下部ハウジング部材
１２  保持手段（フック状部材）
２５  係合手段
７０  警報回路
７４  検出手段（探知器）
１００  磁石
１０１  リードスイッチ
【図１】
2010524112.tif 000003
【図２】
2010524112.tif 000004
【図２ａ】
2010524112.tif 000005
【図３】
2010524112.tif 000006
【図４】
2010524112.tif 000007
【図５】
2010524112.tif 000008
【図６】
2010524112.tif 000009
【図７】
2010524112.tif 000010
【国際調査報告】
2010524112.tif 000011
2010524112.tif 000012
2010524112.tif 000013
2010524112.tif 000014
2010524112.tif 000015